(57)【要約】      （修正有）【課題】向上された信頼性を持つフレキシブル照明システムを可能にする電気結合装置を提供する。【解決手段】照明システム２００において、電気結合装置１１０は、第１のワイヤ１１、第２のワイヤ１２、少なくとも１つのスペーサ２０及び少なくとも１つの結合スペーサ２２を有する。スペーサ２０及び結合スペーサ２２は、第１のワイヤ１１と第２のワイヤ１２との間に規定距離を与える。少なくとも１つの機能素子５０は、発光ダイオードを有する。結合スペーサ２２は、機能素子５０を電気結合装置１１０に電気的に結合する。少なくとも１つの結合スペーサ２２、少なくとも１つのスペーサ２０、第１のワイヤ１１及び第２のワイヤ１２は、フレキシブルカバー３０に埋め込まれる。フレキシブルカバー３０に埋め込まれた電気結合装置１１０は、スペーサ２０及び結合スペーサ２２との間の位置で、３つの次元で曲がることが可能となる。【選択図】図１０
2019133909.tif 000002
【特許請求の範囲】
【請求項１】
照明システムの機能素子を結合する電気結合装置であって、当該電気結合装置は、第１のワイヤ、第２のワイヤ、少なくとも１つのスペーサ、及び少なくとも１つの結合スペーサを有し、前記少なくとも１つのスペーサは、該スペーサの位置で前記第１のワイヤと前記第２のワイヤとの間に第１の規定距離を与えるように構成され、前記結合スペーサは、該結合スペーサの位置で前記第１のワイヤと前記第２のワイヤとの間に第２の規定距離を与えるように構成され、前記結合スペーサは更に、前記機能素子を当該電気結合装置に電気的に結合するように構成され、前記少なくとも１つのスペーサ及び前記結合スペーサは、物理的に互いから隔てられ、前記少なくとも１つの結合スペーサ、前記少なくとも１つのスペーサ、前記第１のワイヤ、及び前記第２のワイヤは、フレキシブルカバーに埋め込まれ、前記フレキシブルカバーに埋め込まれた当該電気結合装置は、前記少なくとも１つのスペーサと前記少なくとも１つの結合スペーサとの間の位置で、３つ全ての次元で曲がることを可能にしている、電気結合装置。
【請求項２】
当該電気結合装置は、物理的に互いから隔てられた少なくとも２つのスペーサを有し、前記フレキシブルカバーに埋め込まれた当該電気結合装置は、前記少なくとも２つのスペーサの間の位置で、３つ全ての次元で曲がることを可能にしている、請求項１に記載の電気結合装置。
【請求項３】
前記少なくとも１つの結合スペーサは、放熱構造に機械的に結合され、前記放熱構造は、少なくとも１つの機能素子によって生成された熱を放散するように構成される、請求項１又は２に記載の電気結合装置。
【請求項４】
前記放熱構造は、前記フレキシブルカバーに埋め込まれる、請求項３に記載の電気結合装置。
【請求項５】
前記放熱構造は、前記結合スペーサと、少なくとも前記結合スペーサの隣に配置された前記スペーサとを、熱的に結合する、請求項３又は４に記載の電気結合装置。
【請求項６】
前記結合スペーサに熱的に結合される前記スペーサは、部分的に前記フレキシブルカバーの外まで延在する、請求項５に記載の電気結合装置。
【請求項７】
前記放熱構造は、第１の結合スペーサと第２の結合スペーサとを熱的に結合する、請求項３乃至６の何れか一項に記載の電気結合装置。
【請求項８】
前記放熱構造は、隣接する機能素子間でのデータ通信を提供するように構成される、請求項７に記載の電気結合装置。
【請求項９】
当該電気結合装置は更に、少なくとも１つの柔軟性増強デバイスを有し、該柔軟性増強デバイスは、前記第１のワイヤ及び前記第２のワイヤへの機械的応力を低減させるように構成される、請求項１乃至８の何れか一項に記載の電気結合装置。
【請求項１０】
前記柔軟性増強デバイスは、前記第１のワイヤ及び前記第２のワイヤのリザーバを有する、請求項９に記載の電気結合装置。
【請求項１１】
前記第１のワイヤ及び前記第２のワイヤは、前記柔軟性増強デバイス内で折り返し構成にて配置される、請求項９又は１０に記載の電気結合装置。
【請求項１２】
前記第１のワイヤ及び前記第２のワイヤは、前記柔軟性増強デバイス内でコイル状構成にて配置される、請求項９又は１０に記載の電気結合装置。
【請求項１３】
少なくとも１つの電気結合装置と、結合スペーサによって前記少なくとも１つの電気結合装置に結合された少なくとも１つの発光機能素子と、を有する照明システムであって、前記少なくとも１つの電気結合装置及び前記少なくとも１つの機能素子が共通にフレキシブルカバーに埋め込まれ、前記フレキシブルカバーは、少なくとも、前記少なくとも１つの発光機能素子の位置に、透光性材料を有する、照明システム。
【請求項１４】
当該照明システムは、複数の機能素子を有し、前記機能素子の少なくとも一部は、少なくとも１つの発光ダイオードを有し、前記複数の機能素子は、電気結合装置によって互いに電気的に結合される、請求項１３に記載の照明システム。
【発明の詳細な説明】
【技術分野】
【０００１】
本発明は、照明システム用の機能素子に結合するように構成された電気結合装置に関する。本発明は更に、その電気結合装置及び機能素子を有する照明システムに関する。機能素子は、発光ダイオードを有し得る。
【背景技術】
【０００２】
高輝度のフレキシブルＬＥＤベースの照明システムは、柔軟性の欠如に悩まされている。また、そのような照明システムの信頼性が問題であることがある。
【発明の概要】
【０００３】
本発明の１つの目的は、向上された信頼性を持つフレキシブル照明システムを可能にする電気結合装置を提供することである。
【０００４】
本発明は、独立請求項によって規定される。従属請求項は有利な実施形態を規定する。
【０００５】
第１の態様によれば、照明システムの機能素子を結合するように構成された電気結合装置が提供される。当該電気結合装置は、第１のワイヤ、第２のワイヤ、少なくとも１つのスペーサ、及び少なくとも１つの結合スペーサを有する。少なくとも１つのスペーサは、該スペーサの位置で第１のワイヤと第２のワイヤとの間に第１の規定距離を与えるように構成される。結合スペーサは、該結合スペーサの位置で第１のワイヤと第２のワイヤとの間に第２の規定距離を与えるように構成される。結合スペーサは更に、機能素子を当該電気結合装置に電気的に結合するように構成される。少なくとも１つのスペーサ及び結合スペーサは、物理的に互いから隔てられる。少なくとも１つの結合スペーサ、少なくとも１つのスペーサ、第１のワイヤ、及び第２のワイヤは、フレキシブルカバーに埋め込まれる。フレキシブルカバーが、結合スペーサ、少なくとも１つのスペーサ、第１のワイヤ、及び第２のワイヤと組み合わさって、少なくとも１つのスペーサと少なくとも１つの結合スペーサとの間の位置で、３つ全ての次元で曲がることを可能にする。当該電気結合装置は、１０ｍｍという小ささの最小曲率半径で曲がることを可能にし得る。
【０００６】
電気結合装置は、物理的に互いから隔てられた２つ、３つ、４つ、又はそれより多くのスペーサを有し得る。フレキシブルカバーは、２つのワイヤ間の信頼性ある電気アイソレーションを、これらのワイヤを互いに離隔させることによって提供する。２つのスペーサと２つのワイヤとがフレキシブルカバーに埋め込まれた構成は、これら少なくとも２つのスペーサの間の位置で、３つ全ての次元で曲がることを可能にする。他方側のスペーサ及び結合スペーサは、電気結合装置の十分な安定性を提供し、１つ、２つ、３つ、４つ、又はそれより多くの電気結合装置を有する照明システムの信頼性ある据え付けを可能にする。故に、スペーサ及び結合スペーサの堅さは、フレキシブルカバーとの比較において遥かに高い。フレキシブルカバーは、例えばシリコーンゴム（ＳｉＯｘ）、ポリシロキサンゴム（例えば、ワッカー社のＥｌａｓｔｏｓｉｌ又は信越社のエラストマーなどの液体シリコーンゴム）といった、透明又は透光性の、高度に柔軟性のあるゴムを有し得る。フレキシブルカバーの材料は、２０ショアから８０ショアまで様々であるショア硬度によって特徴付けられ得る。スペーサ及び結合スペーサのマトリクス材料は、例えば、２Ｗ／（ｍＫ）よりも高い、より好ましくは５Ｗ／（ｍＫ）よりも高い、そして最も好ましくは１０Ｗ／（ｍＫ）よりも高いという比較的高い熱伝導率を持つプラスチック材料又はそれに代わる電気絶縁材料を有し得る。結合スペーサは、それに代えて、高い熱伝導率を持つセラミック材料を有していてもよい。また、ガラス充填又はカーボン充填されたプラスチック材料が使用されてもよい。結合スペーサは、機能素子への電気接続及び機械的結合を提供するように構成される。結合スペーサは、例えば、電気的且つ機械的なコネクタ（例えば、プラグ、ソケットなど）を有し得る。結合スペーサは更に、電気結合装置を曲げることによって生じる機械的応力を低減又は吸収するように構成され得る。機械的応力の低減又は吸収は、機能素子への信頼性ある接続を可能にし得る。電気結合装置によって結合されることができる機能素子は、少なくとも１つの発光ダイオードを有する照明デバイスとし得る。該少なくとも１つの発光ダイオードは、０．５Ｗよりも高い、好ましくは１Ｗよりも高い電気入力パワーと、８０ルーメン毎ワットよりも高い発光効率とを有する高出力ＬＥＤとし得る。機能素子は、それに代えて、インターポーザであってもよい。第１及び第２の距離は異なっていてもよいし同じであってもよい。
【０００７】
結合スペーサは、放熱構造に機械的に結合され得る。放熱構造は、照明システムの動作中に少なくとも１つの機能素子によって生成された熱を放散するように構成される。放熱構造は、１０Ｗ／（ｍＫ）よりも高い熱伝導率を持つフレキシブル熱伝導材料を有し得る。放熱構造は、例えば、機能素子の放熱素子に結合されることが可能な金属ワイヤを有し得る。放熱構造は、例えば、ＬＥＤチップのヒートシンクに結合されるように構成され得る。
【０００８】
放熱構造は、フレキシブルカバーに埋め込まれ得る。放熱構造は、結合スペーサと、少なくとも該結合スペーサの隣に配置されたスペーサとを、熱的に結合し得る。結合スペーサに熱的に結合されるスペーサの一部が、フレキシブルカバーの外まで延在していてもよい。このスペーサは、フレキシブルカバーの外まで延在することにより、放熱構造による冷却を高めるように構成され得る。この場合、それぞれのスペーサが、上述のような比較的高い熱伝導率によって特徴付けられ得る。
【０００９】
放熱構造は、第１の結合スペーサと第２の結合スペーサとを熱的に結合するように構成されてもよい。コン場合、電気結合装置は、２つの結合スペーサと中間スペーサとを有する。これらの結合スペーサは、フレキシブルカバーに埋め込まれた金属ワイヤによって接続され得る。放熱構造は、オプションで、隣接する機能素子間でのデータ通信を提供するように構成され得る。このデータ通信は、これらの機能素子間で制御信号又はスイッチング信号を伝送するために使用され得る。機能素子は、例えば、ＬＥＤと、対応する電気ドライバとを有し得る。放熱構造（例えば、金属ワイヤ）によって伝送される制御信号を用いて、電気ドライバを制御し、ひいては、ＬＥＤによって放出される光を制御し得る。
【００１０】
電気結合装置は更に、少なくとも１つの柔軟性増強デバイスを有し得る。柔軟性増強デバイスは、第１のワイヤ及び第２のワイヤへの機械的応力、特に長手方向の応力、を低減させるように構成される。柔軟性増強デバイスは、コーナー周りで曲げることを可能にするように構成され得る。柔軟性増強デバイスは、例えば、第１のワイヤ及び第２のワイヤのリザーバ（貯まり部）を有し得る。第１のワイヤ及び第２のワイヤは、柔軟性増強デバイス内で折り返し構成にて配置され得る。それに代えて、第１のワイヤ及び第２のワイヤは、柔軟性増強デバイス内でコイル状構成にて配置されてもよい。第１及び第２のワイヤのリザーバは、平行な直線構成の第１及び第２のワイヤと比較して、３つ全ての軸の周りで、より小さい曲率半径での電気結合装置の曲げを可能にし得る。
【００１１】
更なる一態様によれば、照明システムが提供される。当該照明システムは、少なくとも１つの電気結合装置と、結合スペーサによって上記少なくとも１つの電気結合装置に結合された少なくとも１つの機能素子とを有する。上記少なくとも１つの電気結合装置及び上記少なくとも１つの機能素子が共通にフレキシブルカバーに埋め込まれる。フレキシブルカバーは、少なくとも発光機能素子の位置において、透光性材料を有し又はそれで構成される。電気結合装置は、機能素子に永続的に結合され得る。例えば、機能素子の電気コンタクトが、電気接続を提供するように第１及び第２のワイヤに接着（はんだ付け、接着剤付けなど）され得る。電気結合装置の放熱構造が、機能素子の放熱素子に接着され得る。照明システムは、高輝度照明システムとし得る。１つ、２つ、３つ、又はそれより多くの電気結合装置と、中間電気結合装置によって接続される複数の機能素子（特に、上述のように発光ダイオードを有する発光デバイス）とを、１つのフレキシブルカバーに埋め込むことは、照明システムの信頼性を高め得る。
【００１２】
理解されるべきことには、それぞれの独立請求項との従属請求項の如何なる組み合わせも本発明の一好適実施形態とすることができる。
【００１３】
更なる有利な実施形態が以下に規定される。
【図面の簡単な説明】
【００１４】
本発明のこれら及びその他の態様が、以下に記載される実施形態を参照して明らかになる。
【００１５】
ここに、添付の図面を参照して、実施形態に基づいて、例として、本発明を説明する。図面は以下を示す。
【図１】第１の電気結合装置の主要略図を示している。
【図２】第２の電気結合装置の主要略図を示している。
【図３】第３の電気結合装置の主要略図を示している。
【図４】第１のスペーサを横切る第４の電気結合装置の断面図を示している。
【図５】第１のスペーサの上面図を示している。
【図６】第２のスペーサの上面図を示している。
【図７】第３のスペーサを横切る第５の電気結合装置の断面図を示している。
【図８】第４のスペーサを横切る第６の電気結合装置の断面図を示している。
【図９】第５のスペーサを横切る第７の電気結合装置の断面図を示している。
【図１０】第１の照明システムの主要略図を示している。
【００１６】
図面においては、全体を通して、似通った参照符号が同様のオブジェクトを表す。図中のオブジェクトは必ずしも縮尺通りに描かれていない。
【発明を実施するための形態】
【００１７】
以下、本発明の様々な実施形態を図面により説明する。
【００１８】
図１は、第１の電気結合装置１１０の主要略図を示している。第１の電気結合装置１１０は、機能素子（図示せず）に結合されるように構成された結合スペーサ２２を有している。第１の電気結合装置１１０は更に、結合スペーサ２２から延在している第１のワイヤ１１及び第２のワイヤ１２を有している。第１のワイヤ１１及び第２のワイヤ１２は、中間位置でスペーサ２０によって機械的に結合されている。スペーサ２０は、第１のワイヤ１１と第２のワイヤ１２との間に、規定された距離を与えるように構成されている。複数のスペーサ２０の位置間の距離は好ましくは相等しい。結合スペーサ２２、スペーサ２０、第１のワイヤ及び第２のワイヤは、この実施形態では透光性ゴムで構成されたフレキシブルカバー３０に埋め込まれている。透光性ゴムは、特に電気結合装置が曲げられるときに、第１のワイヤ１１と第２のワイヤ１２とを電気的にアイソレートする。第１のワイヤ１１、第２のワイヤ１２、中間スペーサ２０、及び結合スペーサ２２の組み合わせは、スペーサ２０同士の間及びスペーサ２０と結合スペーサ２２との間の高い柔軟性を提供する。この柔軟性は、基本的に、第１のワイヤ１１及び第２のワイヤ１２との組み合わせでの透光性ゴムの弾力性によって制限される。スペーサ２０及び結合スペーサ２２は、特に、電気結合装置１１０の長手方向の延在周りで電気結合装置１１０がよじられる場合に、第１のワイヤ１１及び第２のワイヤ１２によってフレキシブルカバーの材料に及ぼされる力を制限する。
【００１９】
図２は、第２の電気結合装置１１０の主要略図を示している。第２の電気結合装置１１０の全体構成は、図１に関して説明したものと同様である。第２の電気結合装置は、柔軟性増強デバイス１２０を有している。この柔軟性増強デバイス１２０は、フレキシブルカバー３０に埋め込まれた、第１のワイヤ１１及び第２のワイヤ１２の折り返し構成を有している。柔軟性増強デバイス１２０の第１の側に結合スペーサ２２が設けられ、柔軟性増強デバイス１２０の第２の側にスペーサ２０が設けられる。第１のワイヤ１１及び第２のワイヤ１２は、電気結合装置１１０をコーナー周りで曲げるために使用され得る第１のワイヤ１１及び第２のワイヤ１２のリザーバを提供するよう、互いに平行に折り返される。柔軟性増強デバイス１２０は更に、結合スペーサ２２と、結合スペーサ２２に結合されることが可能な機能素子（図示せず）との間の境界における力を低減させ得る。
【００２０】
図３は、第３の電気結合装置１１０の主要略図を示している。第３の電気結合装置１１０の全体構成は、図１及び２に関して説明したものと同様である。第３の電気結合装置は、２本のワイヤ１１、１２を機械的に結合している２つのスペーサ２０の間に配置された柔軟性増強デバイス１２０を有している。第１のワイヤ１１及び第２のワイヤ１２は各々、第１のワイヤ１１及び第２のワイヤ１２のリザーバを提供するように、折り返し構成又はジグザグ構成で配置されている。それに代えて、第１のワイヤ１１及び第２のワイヤ１２は、コイル状構成で配置されてもよい。第１のワイヤ１１及び第２のワイヤ１２のリザーバは、リザーバの位置で、３つ全ての回転軸の周りでの小さい曲率半径を可能にし得る。小さい曲率半径は、電気結合装置１１０の信頼性を低下させることなく、コーナー周りでの電気結合装置１１０の曲げを可能にし得る。この柔軟性増強デバイス１２０は更に、この柔軟性増強デバイス１２０は、フレキシブルカバー３０に埋め込まれた、第１のワイヤ１１及び第２のワイヤ１２の折り返し構成を有している。柔軟性増強デバイス１２０の第１の側に結合スペーサ２２が設けられ、柔軟性増強デバイス１２０の第２の側にスペーサ２０が設けられる。第１のワイヤ１１及び第２のワイヤ１２は、電気結合装置１１０をコーナー周りで曲げるために使用され得る第１のワイヤ１１及び第２のワイヤ１２のリザーバを提供するよう、互いに平行に折り返される。柔軟性増強デバイス１２０は更に、長手方向の応力を低減させ得る。
【００２１】
図４は、第１のスペーサ２０を横切る第４の電気結合装置の断面図を示している。第１のスペーサ２０は、２つのスロットを有するプラスチックで構成され、これら２つのスロット内に第１のワイヤ及び第２のワイヤがクランプ（固定）される。第１のスペーサ２０、第１のワイヤ１１及び第２のワイヤ１２は、フレキシブルカバー３０に埋め込まれる。図５は、第１のスペーサ２０の上面図を示している。第１のワイヤ１１及び第２のワイヤ１２は、第１のスペーサ２０の長手方向の延在に沿って第１のワイヤ１１と第２のワイヤ１２との間に規定の距離が与えられるように、互いに平行にクランプされている。
【００２２】
図６は、第２のスペーサ２０の上面図を示している。第２のスペーサ２０の全体構成は、図４に示したものと同様である。違いは、第１のワイヤ１１及び第２のワイヤ１２が、第２のスペーサ２０の長手方向の延在に沿って曲げられている点である。第２のスペーサ２０内での第１のワイヤ１１及び第２のワイヤ１２の曲げは、第１のワイヤ１１及び第２のワイヤ１２の長手方向の延在に沿った第２のスペーサ２０の長手方向ずれを抑制し又は更には回避し得る。
【００２３】
図７は、第３のスペーサ２０を横切る第５の電気結合装置の断面図を示している。第３のスペーサ２０は、やはり２つのスロットを有しており、この実施形態では、これら２つのスロットが第３のスペーサ２０の反対側の表面に設けられている。第１のワイヤ１１及び第２のワイヤ１２は、これらのスロット内に、第３のスペーサ２０が第１のワイヤ１１を第２のワイヤ１２から隔てるように配置されている。この断面は更に、第３のスペーサ２０から分離して配置された放熱構造４０を示している。放熱構造４０の機能については、図１０に関連して説明する。
【００２４】
図８は、第４のスペーサ２０を横切る第６の電気結合装置の断面図を示している。第４のスペーサ２０は３つのスロットを有している。これらのスロットのうち２つは、第１のワイヤ１１及び第２のワイヤ１２を受け入れるよう、第４のスペーサ２０の一方側に、図４に関して説明したようにして構成されている。第４のスペーサ２０は更に、第４のスペーサ２０の反対側に配置された更なるスロットを有しており、これは、放熱構造４０を受け入れる又はクランプするように構成されている。フレキシブルカバー３０の断面は、図４及び７に示した楕円形又は円形の断面に対し、このケースでは長方形である。
【００２５】
図９は、第５のスペーサ２０を横切る第７の電気結合装置の断面図を示している。第５のスペーサ２０は、２Ｗ／（ｍＫ）よりも高い熱伝導率を持つセラミック材料で構成されている。第５のスペーサ２０は、３つの孔を有するとともに、部分的にフレキシブルカバー３０から外に延在している。これらの孔の中に、第１のワイヤ１１、第２のワイヤ１２、及び放熱構造４０が、第５のスペーサ２０の延在に沿って第１のワイヤ１１、第２のワイヤ１２、及び放熱構造４０間に規定の距離が存在するように通されている。放熱構造４０は、結合スペーサ（図示せず）によって機能素子（図示せず）に結合されることが可能な金属ワイヤで構成されて、機能素子のためのヒートシンクを提供し得る。放熱構造４０及び第５のスペーサによって、機能素子によって生成された熱が放散される。
【００２６】
図１０は、第１の照明システム２００の主要略図を示している。第１の照明システム２００は、機能素子５０の左側及び右側に配置された２つの電気結合装置１１０を有している。機能素子５０は、この実施形態では、結合スペーサ２２によって電気結合装置１１０に電気的且つ熱的に結合された発光ダイオードで構成されている。各電気結合装置１１０が、機能素子５０によって生成された熱を放散させるように構成された放熱構造４０を有している。これらの放熱構造４０は、機能素子５０が有する放熱素子（例えば、ＬＥＤのヒートシンク）にはんだ付けされる。放熱構造４０は、この実施形態では、次のスペーサ２０だけを超えて延在している。第１のワイヤ１１及び第２のワイヤ１２は、機能素子５０の直列接続又は並列接続を提供するように、機能素子の電気コンタクトにはんだ付けされる。機能素子５０の左側に配置されている電気結合装置１１０は、図３に関して説明したのと同様の柔軟性増強デバイス１２０を有している。機能素子５０及び電気結合装置１１０は、シリコーンゴムで構成されたフレキシブルカバー３０内に投入されている。機能素子５０及び電気結合装置１１０を共通のフレキシブルカバー３０に埋め込むことは、例えば、湿気に対して敏感であり得るインタフェースの削減により、照明システム２００の信頼性を高め得る。
【００２７】
照明システム２００は、複数の中間電気結合装置１１０によって接続された多数の機能素子５０を有していてもよい。放熱構造４０は、代わりの一実施形態において、照明システム２００の延在全体を貫いて延在して、機能素子５０間のデータ接続を提供し得る。照明システム２００は更に、電源への電気接続を可能にするコネクタを有し得る。照明システム２００は更に、機能デバイス５０を電気的に駆動するように構成されたセントラル（中央）ドライバを有し得る。それに代えて、あるいは加えて、照明システム２００は、機能デバイス５０が有するローカルドライバを有していてもよい。これらのローカルドライバ間で、及び／又はセントラルドライバとローカルドライバとの間で、第１のワイヤ１１、第２のワイヤ１２、又は放熱構造４０によって、制御信号が交換されてもよい。放熱構造４０は、柔軟性増強デバイス１２０を貫いて延在してもよい。その場合、放熱構造４０は、第１のワイヤ１１及び第２のワイヤ１２に関して説明したのと同様の折り返し構成又はコイル状構成（図２及び３並びに対応する説明を参照）によって特徴付けられ得る。
【００２８】
図面及び以上の記載にて本発明を詳細に図示して説明してきたが、これらの図示及び説明は、限定的なものではなく、例示的あるいは典型的なものとみなされるべきである。
【００２９】
本開示を読むことにより、その他の変更が当業者に明らかになる。それらの変更は、技術的に既知であり且つここで既に述べた特徴に代えて又は加えて使用され得るような、その他の特徴を含んでいてもよい。
【００３０】
開示の実施形態への変形が、図面、本開示及び添付の請求項の検討から、当業者によって理解されて実現され得る。請求項において、用語“有する”はその他の要素又はステップを排除するものではなく、不定冠詞“ａ”又は“ａｎ”は複数の要素又はステップを排除するものではない。特定の複数の手段が相互に異なる従属項に記載されているという単なる事実は、それらの手段の組合せが有利に使用され得ないということを指し示すものではない。
【００３１】
請求項中の如何なる参照符号も、その範囲を限定するものとして解されるべきでない。
【符号の説明】
【００３２】
１１  第１のワイヤ
１２  第２のワイヤ
２０  スペーサ
２２  結合スペーサ
３０  フレキシブルカバー
４０  放熱構造
５０  機能素子
１１０  電気結合装置
１２０  柔軟性増強デバイス
２００  照明システム
【図１】
2019133909.tif 000003
【図２】
2019133909.tif 000004
【図３】
2019133909.tif 000005
【図４】
2019133909.tif 000006
【図５】
2019133909.tif 000007
【図６】
2019133909.tif 000008
【図７】
2019133909.tif 000009
【図８】
2019133909.tif 000010
【図９】
2019133909.tif 000011
【図１０】
2019133909.tif 000012
【外国語明細書】
2019133909000001.pdf